(57)【特許請求の範囲】
【請求項１】
被験者の頭部に取り付けられて該被験者の頭皮電位を検出する複数個の脳波センサと、各脳波センサの出力信号中のアルファ波成分をデータに変換して双極子度を求め、該双極子度の時間変動に関する統計量としての確率過程のモーメントを、該被験者のアルツハイマー型痴呆度パラメータとして求める演算装置と、該パラメータを出力する出力装置と、を備えたことを特徴とする脳活動自動判定装置。
【請求項２】
請求項１において、
該演算装置は、該双極子度として、該データの内のアルファ波成分を抽出すると共に頭部内に仮定した１つ以上の電流双極子が各脳波センサの位置に作る電位分布と各データによって示される各脳波センサの測定電位との二乗誤差の平均値が最小になる１つ以上の等価双極子を決定したときの近似度を示す値を用いることを特徴とした脳活動自動判定装置。
【請求項３】
請求項２において、
該頭部が球状モデルであることを特徴とした脳活動自動判定装置。
【請求項４】
請求項１において、
該演算装置は、該確率過程のモーメントとして、該双極子度をサンプリングにより複数個求めたときのピーク値の一定個数の平均値を表わす平均双極子度及びそのピーク値のゆらぎを表わす標準偏差の双方を用いることを特徴とした脳活動自動判定装置。
【請求項５】
請求項４において、
該演算装置が、該アルファ波周波数帯域内の信号を用いて該平均双極子度及び該標準偏差を求めることを特徴とした脳活動自動判定装置。
【請求項６】
請求項４又は５において、
該演算装置が、該平均双極子度と該標準偏差との相互関係から正常かアルツハイマー型痴呆症であるかを判定することを特徴とした脳活動自動判定装置。
【請求項７】
請求項１から６のいずれか１つにおいて、
該脳波センサ及び該出力装置を端末装置に設けると共に該演算装置を計算センターに設け、該端末装置と該計算センターとを通信回線を介して接続したことを特徴とする脳活動自動判定装置。
【請求項８】
脳活動を自動判定するために、
被験者の頭部に複数個の脳波センサを取り付けて検出した該被験者の頭皮電位のデータ内のアルファ波成分に基づいて双極子度を求め、該双極子度の時間変動に関する統計量としての確率過程のモーメントを、該被験者のアルツハイマー型痴呆度パラメータとして求め、該パラメータを出力する手順をコンピュータに実行させるためのプログラム。
【請求項９】
請求項８において、
該双極子度が、該データの内のアルファ波成分を抽出すると共に頭部内に仮定した１つ以上の電流双極子が各脳波センサの位置に作る電位分布と各データによって示される各脳波センサの測定電位との二乗誤差の平均値が最小になる１つ以上の等価双極子を決定したときの近似度を示すことを特徴としたプログラム。
【請求項１０】
請求項９において、
該頭部が球状モデルであることを特徴としたプログラム。
【請求項１１】
請求項８において、
該確率過程のモーメントが、該双極子度をサンプリングにより複数個求めたときのピーク値の一定個数の平均値を表わす平均双極子度及びそのピーク値のゆらぎを表わす標準偏差の双方から成ることを特徴としたプログラム。
【請求項１２】
請求項１１において、
該アルファ波周波数帯域内の信号を用いて該平均双極子度及び該標準偏差を求めることを特徴としたプログラム。
【請求項１３】
請求項１１又は１２において、
該平均双極子度と該標準偏差との相互関係から正常かアルツハイマー型痴呆症であるかを判定することを特徴としたプログラム。
【請求項１４】
請求項８から１３のいずれか１つに記載のプログラムを記録したことを特徴とするコンピュータ読み取り可能な記録媒体。
【発明の詳細な説明】
【０００１】
【発明が属する技術分野】
本発明は脳活動自動判定方法及び装置に関し、特に老人性痴呆障害を自動判定する方法及び装置に関するものである。
【０００２】
【従来の技術】
老人性痴呆に関しては、９０歳では３０％近くが痴呆状態になっているという統計もあり、これからの高齢化社会にとって大きな問題になりつつある。
従って、このような痴呆障害をできるだけ早期に発見し重度の痴呆状態に至る前にその治療を行うことが望まれているが、この痴呆障害の判定は従来より下記に示すような種々の人為的な方法で行われている。
（１）長谷川式簡易知能評価スケール（ＨＤＳ）
長谷川式簡易知能評価スケール（ＨＤＳ）は、正常老人から痴呆性老人をスクリーニングする目的で作成されたスケールであり、知能障害のない正常な老人には比較的簡単に答えられるような問題から構成されており、通常５〜１０分程度で行うことができる。
【０００３】
質問は、「記憶・記銘」を中心に「見当識」「計算問題」「一般的常識問題」などの１１項目で構成されており、得点は質問項目の通過率をもとに難易度に従って所定の重み付けが施されている。
また、これらの評価項目を改訂して、本人の生年月日さえ確認できていれば検査が可能な改訂長谷川式簡易知能評価スケール（ＨＤＳ−Ｒ）に置き換えられている。
（２）国立精研式痴呆スクリーニング・テスト
この国立精研式痴呆スクリーニング・テストは、健康な老人の中から痴呆の疑いのある老人を的確にスクリーニングすることを目的に標準化された簡易テストである。
【０００４】
地域の中で保健活動をしている保健婦を中心とするコ・メディカルスタッフが、痴呆の疑いのある人を早期に発見し、適切な助言や指導を行うために、それらの人達が容易に使用し、採点でき、痴呆の疑いのある人をスクリーニングできるものである。また、疫学調査の際に、痴呆の疑いのある老人をスクリーニングするためにも使用できる。
（３）Ｎ式精神機能検査
Ｎ式精神機能検査は、記憶・見当識・計算のほかに、概念構成・図形模写・空間認知・運動構成機能などに関する課題も加えて、より広範囲に知的機能を測定することを目的とする老人用の精神機能検査である。
【０００５】
本テストは、老化に伴う精神機能の変化が正常な老化によるものか、病的な痴呆によるものかをスクリーニングするためにも使用できるが、それよりも痴呆の疑われる老人に実施することを主な目的としている。そのために痴呆の程度を正常・境界・軽度痴呆・中等度痴呆・重度痴呆に至る５段階の広い範囲の評価をし得るように作成されている。
（４）精神状態質問表（ＭＳＱ）
このＭＳＱ（Ｍｅｎｔａｌ  Ｓｔａｔｕｓ  Ｑｕｅｓｔｉｏｎｎａｉｒｅ）  は、１９５８年のニューヨーク市の大規模な施設老人調査のために開発されたものである。この調査の目的は、多数の、しかも社会的、身体的、精神的にきわめて異質な人達を対象にするために、単純で、客観的で、容易に施行することができ、しかも精神機能障害の確かな指標を与えることである。
【０００６】
このＭＳＱの質問項目は、見当識、記憶、計算、一般的、個人的な情報を網羅する質問項目から、数百人の予備テストにより、最も識別力のあるものとして選び出されたものである。その質問項目は、半分が見当識、半分が一般的な記憶をテストするものからなり、見当識テストに重点が置かれている。
（５）ミニ・メンタル・ステート検査（ＭＭＳＥ）法
このＭＭＳＥ法は、図１１に示すように、入院患者用の認知障害測定を目的とした短くかつ標準化された尺度として開発されたものである。
【０００７】
この他にも下記のような行動観察尺度（観察式）も種々提案されている。
（６）柄澤式「老人知能の臨床的判定基準」
（７）ファンクショナル・アセスメント・ステージング（ＦＡＳＴ）法
（８）クリニカル・ディメンシア・レーティング（ＣＤＲ）法
（９）ＧＢＳスケール
（１０）Ｎ式老年者用精神状態尺度（ＮＭスケール）
【０００８】
【発明が解決しようとする課題】
上記のような従来の痴呆判定方法の内、ＭＭＳＥ法は、図１の特性曲線Ｎに示す如く、横軸に目盛られたＭＭＳＥ値が小さく（痴呆度が高く）なればなる程、解剖結果によって判明したニューロン欠損率Ｎが高くなり相関関係が認められるので、一定の信頼性が担保された手法であることが判るが、全て医師が被験者（患者）に対して問診する形式を採用しているため、次のような問題点があった。
【０００９】
▲１▼聞き手が介在するため、その聞き手と被験者との固有の人間関係についての依存性が大きく回答が常に客観的に正確に得られるとは限らず判定結果にバラツキが生ずる。
▲２▼被験者がテストを繰り返す内に問診内容を学習してしまうことがあり、やはり客観的な判定結果が得られなくなる。
【００１０】
▲３▼被験者が回答を拒否することもある。
このように、現在の診断方法では初期の痴呆患者と正常者を区別する客観的な方法は提案されていない。さらに、痴呆症のスクリーニングに用いるためには、短時間で低価格、しかも取り扱いが簡単な診断法でなければならないが、上記の方法を含めて痴呆患者を早期診断可能で且つ実用化可能な方法は提案されていない。
【００１１】
また、上記のＳＰＥＣＴやＰＥＴ等を利用した方法は、半減期を極めて短縮するため、放射性同位元素を発生させるサイクロトロン等の設備が必要でありコストが非常に高くなってしまう。
従って本発明は、判定に人間が介在せずに客観的な痴呆障害の判定結果が得られる安価な脳活動自動判定方法及び装置を提供することを目的とする。
【００１２】
【課題を解決するための手段】
人間の思考・認識・記憶の想起・快／不快及び精神的な疲労・緊張等は、脳内にある多数のニューロン（神経細胞）の電気的な活動に依存することは既に広く知られている。
【００１３】
即ち、脳内の信号伝達は神経軸索の活動電位パルスの伝達によって行われ、信号の内容はパルスの頻度に符号化されていると考えられている。この活動電位パルスが興奮性シナプスに到達すると、電流がニューロンから外部に流出し、それがニューロン外部の組織を流れ元の細胞体に戻るが、その電流の流れ方が単一の電流双極子によるものと酷似しているので、１つ１つのニューロンの電気的な活動は電流双極子で置き換えることが出来る。
【００１４】
大脳皮質の或る部分のニューロンが集団的に活動するときに、もしも活動ニューロンが比較的局限された場所に集中していれば、その電気的な活動を１つ以上の電流双極子で近似することができる。
このような電流双極子を探し当てるため、頭部内の任意の位置に任意のモーメントを持った電流双極子を１つ以上置いたときに頭皮上の各脳波（脳磁）センサの位置に現れる電位（磁場の強さ）を計算し、これと各センサによって測定された電位（磁場）との差の二乗平均値を計算する。
【００１５】
そして、該電流双極子を移動させながら、その二乗誤差平均値が最も小さくなる位置と向きと大きさを求め、これを等価双極子とする。
アルツハイマー痴呆症により皮質内のニューロン活動に不均一性が発生すると、それによって発生する頭皮上の電位分布にも空間的なゆらぎが発生する。等価双極子によって作られる頭皮上電位分布は滑らかであるから、この滑らかな電位分布から外れる「ゆらぎ」成分の二乗平均値は皮質内ニューロン活動の不均一性を反映している。この度合いを表しているのが１つ又は複数の双極子度（実測した電位に対する等価双極子の近似度）の平均値＝「平均双極子度」である。
【００１６】
本発明は、特公平３−４２８９７  号公報、特開平３−９９６３０  号公報、特許第２５４０７２８号公報等に示される如く既によく知られている技術を基礎にしている。
これらの基礎技術から発展した本発明では、双極子度の時間変動に関する統計量である確率過程のモーメント又はアルファ波に関する平均双極子度には閾値があり、それを境にして正常と痴呆症の区別ができることが明らかになった。そして、これに基づいて痴呆症、特にアルツハイマー型痴呆の定量化が可能になり、ある正診率で正常と痴呆症を識別することが可能になった。
【００１７】
さらに平均双極子度は時々刻々とゆらいでいるが、これはニューロン活動の不安定性（標準偏差）を反映している。この不安定性は一般に痴呆症の進行とともに増加する。このような平均双極子度のゆらぎを表わす標準偏差にも閾値があり、その閾値よりも標準偏差が大になるとアルツハイマー型痴呆症であると診断することができる。
【００１８】
このような平均双極子度ｄと標準偏差ＳＤとの関係を示したものが図２の脳劣化グラフである。それぞれの閾値によって４つの領域▲１▼〜▲４▼に区分される。第４象限が正常を示す領域である。
図３は、頭部のＭＲＩ断面である。白色部分のニューロンが活動しているときの計算機シミュレーションによって得られた双極子度を示している。同図（ａ）は正常例で、これだけの部分にニューロン活動が広がっているにもかかわらず平均双極子度は”９９．８６２”という大きな値を示している。また、同図（ｂ）はアルツハイマー症患者を模したもので、ニューロン活動が部分的に欠如している場合で、平均双極子度は”９７．０５７”という低い値になっている。
【００１９】
従って、それぞれの等価双極子について、上記の平均双極子度ｄを求めると、平均双極子度ｄとニューロン欠損率Ｎは図１の特性曲線に示すようになる。曲線Ｎはアルツハイマー患者の脳の解剖検査結果と臨床結果から推定されたものである。
【００２０】
また、上記のＳＰＥＣＴ法においても、双極子度と、側頭葉及び頭頂側頭葉の血流低下とが非常に高い相関を示すことも明らかになった。
一方、アルファ波等の脳波を脳波センサ又は脳磁センサを用いて測定する場合、その発生源は脳の左右両半球に分布していると考えられるから、２つの等価双極子を導入することもできるが、活動ニューロンの場所を特定するためには２つの等価双極子が必要であっても、双極子度を見る為には等価双極子の数は１つでよい。
【００２１】
そこで、本発明者は、図４〜７に示すように、例えば単一の等価双極子を仮定した場合（図４及び５）と２つの等価双極子を仮定した場合（図６及び７）の２つのモデルにおいて、それぞれ、頭部を球形状と仮定した場合（図４及び６）と実形状の場合（図５及び７）に分けて解析したところ、いずれも、各双極子度のピーク値を結ぶ包絡線はほぼ一致することが判った。
【００２２】
すなわち、単一の等価双極子による場合には図３に示したようにベクトルの回転中心は頭部の真中に来るので活動ニューロンの場所を特定し難いが、平均双極子度ｄのピーク値については互いにあまり変化が無く、これは実形状及び球形状のいずれに対して求めてもあまり変わりがないことが判った。
【００２５】
そこで、本発明に係る脳活動自動判定装置は、被験者の頭部に取り付けられて該被験者の頭皮電位を検出する複数個の脳波センサと、各脳波センサの出力信号中のアルファ波成分を数値データに変換して双極子度を求め、該双極子度の時間変動に関する統計量としての確率過程のモーメントを、該被験者のアルツハイマー型痴呆度パラメータとして求める演算装置と、該パラメータを出力する出力装置と、を備えることができる。
【００２６】
さらに、本発明に係る脳活動自動判定装置では、該脳波センサ及び該出力装置を端末装置に設けると共に該演算装置を計算センターに設け、該端末装置と該計算センターとを通信回線を介して接続した構成としてもよい。
本発明では、さらにコンピュータに実行させるためのプログラムを提供することができる。このプログラムは、脳活動を自動判定するために、被験者の頭部に複数個の脳波センサを取り付けて検出した該被験者の頭皮電位を変換した数値データ内のアルファ波成分に基づいて双極子度を求め、該双極子度の時間変動に関する統計量としての確率過程のモーメントを、該被験者のアルツハイマー型痴呆度パラメータとして求め、該パラメータを出力する手順を備えている。
【００２７】
本発明ではさらに、上記のプログラムを記録したことを特徴とするコンピュータ読み取り可能な記録媒体も提供される。
上記の方法とその装置並びにプログラムとその記録媒体においては、以下の種々の態様が可能である。
【００２８】
上記の双極子度は、該データの内の所定周波数成分であるアルファ波成分を抽出すると共に頭部内に仮定した１つ又はそれ以上の電流双極子が各脳波センサの位置に作る電位分布と各データによって示される各脳波センサの測定電位との二乗誤差の平均値が最小になる１つ又はそれ以上の等価双極子を決定したときの近似度を示すものとすることができる。
この場合の頭部は球状モデルを採用することができる。
【００２９】
該統計量としての確率過程のモーメントとしては、該双極子度をサンプリングにより複数個求めたときのピーク値の一定個数の平均値を表わす平均双極子度を用いると共に、該平均双極子度が低下するに従い標準偏差は増加し、その相関が大きいので、平均双極子度のゆらぎを表わす標準偏差をも併せて用いることができる。
【００３０】
該データは、該脳波センサの代わりに脳磁センサを用い、該電位の代わりに磁場を用いて得たものでもよい。
【００３１】
また、該平均双極子度と該標準偏差との相互関係から、正常か痴呆症であるかを判定してもよい。
【００３２】
このように、被験者の頭部を実形状でなく球形状等と仮定して一つ以上の等価双極子による双極子度の一定個数の平均値又は標準偏差を求めることにより、被験者の痴呆度を求めるようにしたので、計算が非常に簡単になり、またＭＭＳＥ法のように判定結果にばらつきが生じることも少なく、さらにはＳＰＥＣＴ法などに比べてコストが大幅に低減でき、さらに正常と異常の識別感度が向上する。
【００３３】
【発明の実施の形態】
図８は、本発明に係る脳活動自動判定方法及び装置の一実施例を示したものである。
この実施例では、まず、頭部１に例えば２１個前後の脳波センサ又は脳磁センサ（電極）群２を装着して脳内神経活動に基づく電位を測定するか、或いは、予めセンサを配置したキャップを被る。なお、この場合のセンサは、頭部を例えば球形状と仮定した場合でも、ｉｎｔｅｒｎａｔｉｏｎａｌ  １０−２０  ｓｔａｎｄａｒｄによって決められた位置に配置すればよい。
【００３４】
センサ２からの測定電位は増幅器３及びマルチプレクサ４を介してアナログ／ディジタル変換器（Ａ／Ｄ）５に供給され、ディジタル化された測定電位（脳波）データは入力インタフェース（Ｉ／Ｆ）１５を介してコンピュータ１０に供給される。なお、入力インタフェース１５では該データをフーリェ変換して所定のフィルタリング処理を行うことにより、安静時に発生するアルファ波のみを取り出して以下の処理を行うことが出来る。但し、このアルファ波に限定されるものではない。
【００３５】
コンピュータ１０内ではＣＰＵ１１がバス１２を介してＲＯＭ１３、ＲＡＭ１４、入力インタフェース１５、及び出力インタフェース１６に接続されている。上記ＲＯＭ１３は等価双極子を求める上記のプログラム等を記憶した媒体であり、ＲＡＭ１４はディジタイザー２３、キーボード２４、Ａ／Ｄ変換器５からの脳波データを記憶するメモリである。
【００３６】
なお、この脳波データは、図９に示すように、この場合のみデータ転送端末装置として動作するコンピュータ１０のインタフェース１７から、インターネット等の通信回線４１を経由して演算装置としての計算センター４２に送り、ここで解析した結果を再び通信回線１４を経由して臨床現場のコンピュータ１０に送り返し、ＣＲＴ３１又はプリンタ３２などの出力装置において出力して医師が診断の材料とするように構成してもよい。この場合は、プログラムとその記録媒体は計算センターに装備される。
【００３７】
また、入力インタフェース１５には、図１又は図２に示したグラフの特性データを格納した外部記憶装置２５が接続され、出力インタフェース１６にはコンピュータ１０の演算結果（痴呆度としてのＭＭＳＥ値）を表示するＣＲＴ等の表示装置３１と表示装置３１に表示されたデータや波形を記憶するプリンタ３２が出力装置として接続されている。なお、外部記憶装置２５は用いずに、全てＲＯＭ１３にプログラム等を格納しておいてもよい。
【００３８】
上述の構成における本実施例の動作を図１０に示すフローチャートにより以下に説明する。
まず、頭部１に示されたセンサ群２を配置した後（ステップＳ１）、図示しない電源を”オン”してコンピュータ１０を初期状態に設定する（ステップＳ２）。
【００３９】
次に、各種演算用のプログラム及び信号処理用のプログラム等を外部記憶装置２０から読み出してコンピュータ１０内のＲＡＭ１４に格納する（ステップＳ３）。この様なプログラムはコンピュータ１０内の不揮発性メモリであるＲＯＭ１３内に予め記憶して置いてもよい。
【００４０】
次に、頭部１に載置した２１個前後のセンサ群２から脳内神経活動に基づく電位測定を一定のサンプリング間隔で行う（ステップＳ４）。
この後、アルファ波等の特定周波数帯域にピークを有する脳波成分をディジタルフィルタ処理を行って分離する（ステップＳ５）。
【００４１】
そして、サンプリングされた頭皮上測定電位の全てについて等価双極子を計算する（ステップＳ６）。
すなわちこのステップＳ６においては、上述したように、コンピュータ１０のＣＰＵ１１は、頭部内の所定位置に置いたと仮定した時の例えば１つの電流双極子が発生する頭皮上の各電極位置の電位（Ｖｃ）を計算し、ステップＳ４で測定した電位（Ｖｍ）との二乗誤差の平均値を求め、この二乗誤差平均値を最小とするような電流双極子の位置とベクトルを求め、この二乗誤差が基準値以下に収束するまでこのような処理を繰り返し、二乗誤差が収束して基準値以下になったとき、この位置の電流双極子を等価双極子としてその位置をＲＡＭ１４に記憶する。
【００４２】
この後、双極子度を計算する（ステップＳ７）。すなわち、等価双極子が、実測された電位に対してどの程度近似しているかを示す双極子度ｄ（この時点では未だ平均値ではない。）を次式（１）及び（２）に示すように計算する。
【００４３】
【数１】
0003581319.tif 000002
【００４４】
【数２】
0003581319.tif 000003
【００４５】
なお、上記の式（１）及び（２）においては、Ｍはセンサ２の数を示し、また、Ｖｍａ及びＶｃａはそれぞれ測定値及び計算値の平均値を示している。
このようにして、例えば１０ｍｓ毎にサンプリングされた頭皮上測定電位の各々について求められた双極子度ｄのピーク値（図３〜６参照）を一定個数、例えば２００個抽出してその平均値＝「平均双極子度」を求める（ステップＳ８）。
【００４６】
そして、平均双極子度を所定の閾値と比較し、この閾値以上のときは正常とし、閾値以下のときは痴呆状態であると判定し（ステップＳ９）、又は標準偏差と閾値とを比較して正常／痴呆症を判定する（ステップＳ１０）。
或いは、平均双極子度ｄと標準偏差ＳＤとの関係を示した図２の脳劣化グラフにおいて、それが第２象限▲２▼にあればアルツハイマー症と診断し、第４象限▲４▼にあるときは正常であると判定する（ステップＳ１１）。これらの判定結果が出力装置としてのＣＲＴ３１又はプリンタ３２に出力される。これまでの臨床データによると、この方法による正診率は約７０％である。
【００４７】
以上説明したように本発明に係る脳活動自動判定方法とその装置並びにプログラムとその記録媒体によれば、球状等の頭部内に仮定した一つ以上の電流双極子が脳波センサの位置に作る電位分布と測定電位との二乗誤差平均値が最小になる一つ以上の等価双極子を決定したときの近似度を示す双極子度の時間的変動に関する統計量としての確率過程のモーメントである、例えばサンプリングにより求めたときのピーク値の一定個数の平均値（平均双極子度）及びそのピーク値のゆらぎを表わす標準偏差から正常か痴呆症かの判定が直ちに、しかも客観的にできる。
【００４８】
また痴呆症と判定された場合には、その痴呆症の程度が評価できる。また痴呆症に対する薬物投与を行ったり認知リハビリテーションを行ったときの効果が数値的に評価できるので、それぞれの患者に対する最適な薬物の選択とその投与量・頻度の決定が短期間ででき、各種の認知リハビリテーションのなかで最適な方法の適用が可能になる。
【００４９】
薬物、認知リハビリテーションその他による治療の前後における双極子度の平均値の変化から、これらの薬物および各種療法の有効性を計測することが可能である。
また、アルファ波に対する双極子度の時間的な変化の解析から、将来にわたる痴呆度の進行を予測することも可能である。
【００５０】
従来のような問診式の判定結果とは異なり、客観的で正確且つ迅速な被験者の痴呆度を低コストの装置により判定することが可能となり、以って、下記のような特有の効果が得られる。
（１）約３分間の脳波測定によってアルツハイマー症の進行状態がモニターできる。
【００５１】
（２）高齢者全員に対して痴呆症のスクリーニングが簡便にできるので、痴呆の早期発見が可能になる。早期治療は痴呆の発症を遅延させるのに有効なので、老人性痴呆人口の抑制に寄与する。それにより経済効果と看護をする家族の負担軽減に寄与するところが大きい。
【００５２】
（３）アルツハイマー症の進行抑制または治癒に有効とされる薬物の効果が直ちに計測できるので、これに関係した新薬の開発に利用できる。
（４）芸術療法、音楽療法、園芸療法などの各種療法の効果が客観的に計測できる。
【００５３】
（５）痴呆症の程度が客観的に認定できる。
（６）非侵襲的かつ簡便に痴呆症のスクリーニングに応用できる。
【図面の簡単な説明】
【図１】本発明者が求めた、ＭＭＳＥ値に対する双極子度（平均値）ｄ及びニューロン欠損率Ｎを示したグラフ図である。
【図２】本発明者が求めた、正常／痴呆症を判定するための平均双極子度とその標準偏差との関係を示した脳劣化グラフ図である。
【図３】正常者と痴呆者の頭部断層面において求めた単一の等価双極子を示した図である。
【図４】本発明に係る脳活動自動判定方法と装置及びそのプログラムと記録媒体を実現するために、頭部を球形状と仮定とし、単一の等価双極子を用いた時の双極子度を示したグラフ図である。
【図５】本発明を実現するために、頭部を実形状とし、単一の等価双極子を用いた時の双極子度を示したグラフ図である。
【図６】本発明を実現するために、頭部を球形状と仮定とし、２つの等価双極子を用いた時の双極子度を示したグラフ図である。
【図７】本発明を実現するために、頭部を実形状とし、２つの等価双極子を用いた時の双極子度を示したグラフ図である。
【図８】本発明の実施例を示したブロック図である。
【図９】本発明の変形例を示したブロック図である。
【図１０】本発明に用いる演算装置の処理手順を示したフローチャート図である。
【図１１】従来より知られているミニ・メンタル・ステート検査（ＭＭＳＥ）法を示す図表である。
【符号の説明】
１  被験者の頭部
２  脳波（脳磁）センサ群
３  増幅器
５  Ａ／Ｄ変換器
１０  コンピュータ
１１  ＣＰＵ
１３  ＲＯＭ（プログラム記録媒体）
１４  ＲＡＭ
１５，１６，１７  インタフェース
２４  キーボード
２５  外部記憶装置
３１  ＣＲＴ
３２  プリンタ
４１  通信回線
４２  計算センター
図中、同一符号は同一又は相当部分を示す。
【図１】
0003581319.tif 000004
【図２】
0003581319.tif 000005
【図３】
0003581319.tif 000006
【図４】
0003581319.tif 000007
【図５】
0003581319.tif 000008
【図６】
0003581319.tif 000009
【図７】
0003581319.tif 000010
【図８】
0003581319.tif 000011
【図９】
0003581319.tif 000012
【図１０】
0003581319.tif 000013
【図１１】
0003581319.tif 000014